(57)【要約】【課題】  再生モードと撮像モードをトグル方式で切り替える切り替えスイッチがあり、撮像モードからスタンバイ状態に移行する短縮起動スイッチがある撮像・再生装置において、スタンバイ状態へ移行するためには撮像モードでしか有効でなかったために、記録した映像を再生モードで確認などした後には、撮像・再生装置の動作モードを再生モードから撮像モードへ切り替える必要があった。  このため、ユーザーにとって操作性が不便であった。【解決手段】  再生モードと撮像モードの切り替えスイッチがあり、かつ撮像モードでの短縮起動スイッチがある撮像再生機器において、再生モードから次回撮像モードで短縮起動する際に、モード切替スイッチを切り替えることなく撮像モードで起動する。【選択図】  図３
2009033436.tif 000002
【特許請求の範囲】
【請求項１】
電源オンとオフを切り替えるための切り替えスイッチと、
撮像モード設定と再生モード設定をトグル方式で切り替えるための切り替えスイッチと、
電源オンからスタンバイ状態に移行するための短縮起動設定スイッチと、
スタンバイ状態からスタンバイ状態を解除するための短縮起動開始スイッチと、
前記スタンバイ状態に移行及び解除するためのシーケンスを制御するための制御手段とを
有することを特徴とする撮像・再生装置。
【請求項２】
請求項１において、
前記スタンバイ状態に移行及び解除するためのシーケンス制御手段は、短縮起動設定及び短縮起動スイッチをトリガーにして、電源オン状態からスタンバイ状態への移行前の撮像・再生装置が再生モードであっても、スタンバイ状態解除後の動作モードが、撮像モードで起動することを特徴とする撮像・再生装置。
【請求項３】
請求項１、２におけるスイッチをトリガーにして、スタンバイ状態に移行及び解除して撮像モードで起動することを実行するためのプログラム。
【請求項４】
請求項１、２におけるスイッチをトリガーにして、スタンバイ状態に移行及び解除して撮像モードで起動することを実行するためのプログラムを記憶した記憶媒体。
【発明の詳細な説明】
【技術分野】
【０００１】
本発明は、再生モードからスイッチをトリガーにしてスタンバイ状態になり、スタンバイ状態解除時には、撮像モードで短縮起動するための操作性を簡略化することを目的とした撮像・再生装置に関するものである。
【背景技術】
【０００２】
従来、撮像・再生装置の電源がオン状態で維持されている限りにおいては、撮像モードから再生モードに切り換わって以後、撮像モードに復帰するまでの期間にわたって、撮影倍率可変手段の調節状態を撮像モードの最終時点における調節状態に維持していた（特許文献１）。
【０００３】
また、撮像・再生装置の動作モードが撮像モードから短縮起動スイッチを押下して、スタンバイ（短縮起動）状態に移行し、再度短縮起動スイッチを押下することで撮像モードで短縮起動していた。
【特許文献１】特開平11-88743号公報
【発明の開示】
【発明が解決しようとする課題】
【０００４】
再生モードと撮像モードをトグル方式で切り替える切り替えスイッチがあり、撮像モードからスタンバイ状態に移行する短縮起動スイッチがある撮像・再生装置において、スタンバイ状態へ移行するためには撮像モードでしか有効でなかったために、記録した映像を再生モードで確認などした後には、撮像・再生装置の動作モードを再生モードから撮像モードへ切り替える必要があった。
【０００５】
このため、ユーザーにとって操作性が不便であった。
【課題を解決するための手段】
【０００６】
本発明は、撮像・再生装置が再生モードでもモード切替スイッチを切り替えることなく短縮起動スイッチを押下することでスタンバイ状態に移行する。
【０００７】
また、再度短縮起動スイッチを押下することで撮像モードで起動することを特徴としている。
【０００８】
これにより、ユーザにとって再生モードからの短縮起動設定及び起動が撮像モードでの短縮起動が簡単となる操作性の改善を特徴としている。
【発明の効果】
【０００９】
以上説明したように、本発明によれば、撮像・再生装置が再生モードであってもモード切替スイッチを切り替えることなく短縮起動スイッチを押下することでスタンバイ状態に移行する。更に、再度短縮起動スイッチを押下することで撮像モードで起動することが可能である。
【００１０】
これにより、ユーザにとって再生モードからの短縮起動設定及び短縮起動が簡単となり、操作性の改善が可能である。
【発明を実施するための最良の形態】
【００１１】
（実施例１）
本発明の撮像・再生装置の実施の形態について、図面を参照して説明する。
【００１２】
図１に、本発明を実行する撮像・再生装置の構成図を図２にそのブロック図を示す。
【００１３】
図において、１は撮像・再生装置本体である。１０は、撮像・再生装置の動作を制御するマイクロプロセッサである。１１は、１０のマイクロプロセッサと接続された不揮発性メモリーである。
【００１４】
３０は撮像レンズである。４０は撮像レンズからの光学像を電気信号に変換する映像センサーである。２０は、４０から出力される電気信号を処理・制御するための画像処理・制御回路である。
【００１５】
５０は、３０の撮像レンズによって撮像された画像や１０のプログラムの実行状態に応じた動作状態やメッセージなどを文字及び画像にて表示するための第１の表示装置であり、また５１は第２の表示装置である。６０は、画像処理されたデジタルデータをマイクロプロセッサ経由で記録するための記録媒体（テープ）であり、７０は記録媒体（テープ）にデジタルデータを記録または再生するための制御や記録媒体（テープ）の回転速度や回転方向などを制御するための制御回路である。
【００１６】
９０は、撮像・再生装置がスタンバイ状態に移行しスタンバイを解除し撮像モードで電源オンするための短縮起動設定スイッチであり、９１は、撮像・再生装置１の動作モードを撮影モードか再生モードかを設定するためのスイッチである。
【００１７】
そして、これら２つのスイッチの設定は全て１０のマイクロプロセッサによって判断・処理される。
【００１８】
１００は、撮像・再生装置１に第１の電源供給装置であるリチウムイオン電池である。
【００１９】
図３は、本発明にかかわる撮像・再生装置１で実施するフローチャートを示す。
【００２０】
図のフローチャートにおいて、撮像・再生装置１の動作モードが再生モードの時（ステップＳ１０１）、マイクロプロセッサ１０で短縮起動スイッチ９０の押下を検出したら（ステップＳ１０２）、マイクロプロセッサ１０は、電源起動時に短縮起動するための現在の設定値（記録媒体設定、テープ位置、撮像・再生装置１本体のソフトウェアによって設定されたユーザー設定）を撮像・再生装置１の本体内部にある不揮発性メモリー１１に記憶する（ステップＳ１０３）。そして、撮像・再生装置１内のマイクロプロセッサ１０は、表示装置Ａ５０及び表示装置Ｂ５１などオンしている装置をオフし、規定時間経過するまで低消費電力モード（テープ取り出しのイジェクト及び短縮起動設定スイッチ９０のみ有効でその他のキー入力不可）の状態で保持する（ステップＳ１０４）。撮像・再生装置１の動作モードが再生モードの時（ステップＳ１０１）、マイクロプロセッサ１０で短縮起動スイッチ９０を押下の検出がされなければ（ステップＳ１０２）、撮像・再生装置１は、再生モードを継続する（ステップＳ１０１）。
【００２１】
次に撮像・再生装置１内のマイクロプロセッサ１０は、スタンバイ状態経過時間の確認を行う（ステップＳ１０５）。スタンバイ状態になってから１０分以上経過していたら、撮像・再生装置１のマイクロプロセッサ１０は、不揮発性メモリー１１に記憶した設定値をクリアしてスタンバイ状態を解除し（ステップＳ１１０）、電源オフに移行する（ステップＳ１１１）。
【００２２】
撮像・再生装置１がスタンバイ状態で１０分未満の時（ステップＳ１０５）、短縮起動スイッチ９０が押されなければ（ステップＳ１０６）、スタンバイ経過時間の確認を継続して行う（ステップＳ１０５）。
【００２３】
逆に撮像・再生装置１がスタンバイ状態で１０分未満の時（ステップＳ１０５）、短縮起動スイッチ９０が押された場合（ステップＳ１０６）、マイクロプロセッサ１０は、２次電池の挿抜やテープのイジェクトの有無を確認する（ステップＳ１０７）。
【００２４】
ステップＳ１０７で、２次電池の挿抜やテープのイジェクト動作があった場合、マイクロプロセッサ１０は、不揮発性メモリー１１に記憶した設定値をクリアしてスタンバイ状態を解除し（ステップＳ１１０）、電源オフに移行する（ステップＳ１１１）。
【００２５】
ステップＳ１０７で、２次電池の挿抜やテープのイジェクト動作がなかった場合、マイクロプロセッサ１０は、不揮発性メモリー１１に記憶した設定値を使用してスタンバイ状態を解除し（ステップＳ１０８）、撮像モードで電源オンに移行する（ステップＳ１０９）。
【００２６】
（実施例２）
実施例１において、再生モードにおいて、ステップＳ１０２及びステップＳ１０６において記録開始/停止スイッチ９３と短縮起動スイッチ９０が同時に押下されたら（ステップＳ１２２及びステップＳ１２６）、短縮起動するためのスタンバイモードに移行するようにしてもよい。この実施例のフローチャートを図４に示す。
【図面の簡単な説明】
【００２７】
【図１】撮像・再生装置の構成図。
【図２】本発明を実行する撮像・再生装置のブロック図。
【図３】本発明の実施例１を実行する撮像・再生装置で実施するフローチャート１。
【図４】本発明の実施例２を実行する撮像・再生装置で実施するフローチャート２。
【符号の説明】
【００２８】
１  撮像・再生装置
１０  マイクロプロセッサ
１１  不揮発性メモリー
２０  画像制御・処理装置
３０  レンズ
４０  映像センサー
５０  表示装置Ａ
５１  表示装置Ｂ
６０  記録媒体（テープ）
７０  記録媒体（テープ）への記録処理・制御装置
９０  短縮動作設定及び短縮起動スイッチ
９１  動作モード（撮像/再生/切）切り替えスイッチ
９２  録画開始/停止スイッチ
１００  ２次（リチウムイオン）電池
【図１】
2009033436.tif 000003
【図２】
2009033436.tif 000004
【図３】
2009033436.tif 000005
【図４】
2009033436.tif 000006